(57)【要約】      （修正有）【課題】体積、重さ及び電力消費を保ちつつ、扇風機の風量及び風速を増やすウェアラブル扇風装置を提供する。【解決手段】ウェアラブル扇風装置は、ベース１と、ベース１の片側に対して回転して接続され、且つ回転軸線はベース１の表面に垂直である風車２と、ベース１の他側に設けられ、風車２に接続される動力機構と、導風板３であって、風車２の軸方向の周りを回ってベース１の片側に設けられ、且つ一方の側縁がベース１に封止して接続され、表面と風車２の外縁との間にギャップを有し、ギャップの幅は風車２の回転方向に従って漸増して風路が形成され、導風板３に風路に連通する吹出口が設けられる導風板３と、ベース１に対して可動に設けられ、且つ導風板３のベース１から離れる側縁に封止して接続され、表面には風車２と同心になる吸込口が設けられるエンドカバーとを含む。ウェアラブル扇風装置は、風車２のサイズとモーターの仕事率が増えずに、吹出量が増加し風速が増える効果が得られる。【選択図】図３
0003231185.tif 000002
【実用新案登録請求の範囲】
【請求項１】
ベースと、
前記ベースの片側に対して回転して接続され、且つ回転軸線は前記ベースの表面に垂直である風車と、
前記ベースの他側に設けられ、前記風車に接続される動力機構と、
導風板であって、前記風車の軸方向の周りを回って前記ベースの片側に設けられ、且つ一方の側縁が前記ベースに封止して接続され、表面と前記風車の外縁との間にギャップを有し、前記ギャップの幅は前記風車の回転方向に従って漸増して風路が形成され、前記導風板には前記風路に連通する吹出口が設けられる導風板と、
前記ベースに対して可動に設けられ、且つ前記導風板の前記ベースから離れる側縁に封止して接続され、表面には前記風車と同心になる吸込口が設けられるエンドカバーとを含むことを特徴とするウェアラブル扇風装置。
【請求項２】
前記エンドカバーのエッジの周方向に垂直に設けられるサイドシールプレートをさらに含み、前記導風板は前記サイドシールプレート内に位置し、前記サイドシールプレートの前記吹出口に対応する場所に吹き口が設けられ、且つ前記吹き口の向きは調節可能であることを特徴とする請求項１に記載のウェアラブル扇風装置。
【請求項３】
前記サイドシールプレートの内面の周方向に複数の導風溝が設けられることを特徴とする請求項２に記載のウェアラブル扇風装置。
【請求項４】
前記サイドシールプレートは前記ベースに係止されることを特徴とする請求項２に記載のウェアラブル扇風装置。
【請求項５】
前記ベースの周方向に等間隔で複数の引止部が設けられ、前記サイドシールプレートには複数の前記引止部と一対一で対応する複数の係止溝が設けられることを特徴とする請求項４に記載のウェアラブル扇風装置。
【請求項６】
前記吹き口に第１保護構造が設けられることを特徴とする請求項２に記載のウェアラブル扇風装置。
【請求項７】
前記吹き口には吹出方向を調節するための風向調節構造が設けられることを特徴とする請求項２に記載のウェアラブル扇風装置。
【請求項８】
前記風向調節構造は平行に設けられる複数の羽板を含み、複数の前記羽板はいずれも両端が前記サイドシールプレートに対して回転して接続されることを特徴とする請求項７に記載のウェアラブル扇風装置。
【請求項９】
前記吸込口に第２保護構造が設けられることを特徴とする請求項１に記載のウェアラブル扇風装置。
【請求項１０】
前記導風板の吹出口の両側にいずれも前記吹出口での吹出方向をガイドするためのガイド構造が設けられることを特徴とする請求項１〜９のいずれか１項に記載のウェアラブル扇風装置。
【考案の詳細な説明】
【技術分野】
【０００１】
本考案は、扇風機の技術分野に属し、より詳しく言えば、ウェアラブル扇風装置に関する。
【背景技術】
【０００２】
室外の暑い環境にいる人や事務室の蒸し暑さに耐えられない人では、暑さがもたらす不快感を解消するために、ウェアラブル扇風装置などのポータブルな冷却装置を身に付ける者が増えている。ウェアラブル扇風装置は携帯しやすく、重さが軽く、体積が小さく、風量が風車又はブレードのサイズとモーターの仕事率と直接的に関係する。ウェアラブル扇風装置の風量及び風速を高めるために、風車のブレードのサイズを増やし、モーターの仕事率を高めて回転数を上げることが一般的である。しかし、風車のブレードのサイズが増えるとウェアラブル扇風装置の体積と重さが増加し、モーターの仕事率が上がるとウェアラブル扇風装置のノイズ、振動が増大し、電力消費が増える。
【考案の概要】
【考案が解決しようとする課題】
【０００３】
本考案は、従来のウェアラブル扇風装置の体積、重さ及び電力消費を保ちつつ、扇風機の風量及び風速を増やすために、ウェアラブル扇風装置を提供することを目的とする。
【課題を解決するための手段】
【０００４】
上記の目的を達成するための本考案の技術的解決手段は以下のとおりである。
ベースと、前記ベースの片側に対して回転して接続され、且つ回転軸線は前記ベースの表面に垂直である風車と、前記ベースの他側に設けられ、前記風車に接続される動力機構と、導風板であって、前記風車の軸方向の周りを回って前記ベースの片側に設けられ、且つ一方の側縁が前記ベースに封止して接続され、表面と前記風車の外縁との間にギャップを有し、前記ギャップの幅は前記風車の回転方向に従って漸増して風路が形成され、前記導風板には前記風路に連通する吹出口が設けられる導風板と、前記ベースに対して可動に設けられ、且つ前記導風板の前記ベースから離れる側縁に封止して接続され、表面には前記風車と同心になる吸込口が設けられるエンドカバーとを含むウェアラブル扇風装置を提供する。
【０００５】
本願の一実施例では、前記エンドカバーのエッジの周方向に垂直に設けられるサイドシールプレートをさらに含み、前記導風板は前記サイドシールプレート内に位置し、前記サイドシールプレートの前記吹出口に対応する場所に吹き口が設けられ、且つ前記吹き口の向きは調節可能である。
【０００６】
本願の一実施例では、前記サイドシールプレートの内面の周方向に複数の導風溝が設けられる。
【０００７】
本願の一実施例では、前記サイドシールプレートは前記ベースに係止される。
【０００８】
本願の一実施例では、前記ベースの周方向に等間隔で複数の引止部が設けられ、前記サイドシールプレートには複数の前記引止部と一対一で対応する複数の係止溝が設けられる。
【０００９】
本願の一実施例では、前記吹き口に第１保護構造が設けられる。
【００１０】
本願の一実施例では、前記吹き口には吹出方向を調節するための風向調節構造が設けられる。
【００１１】
本願の一実施例では、前記風向調節構造は平行に設けられる複数の羽板を含み、複数の前記羽板はいずれも両端が前記サイドシールプレートに対して回転して接続される。
【００１２】
本願の一実施例では、前記吸込口に第２保護構造が設けられる。
【００１３】
本願の一実施例では、前記導風板の吹出口の両側にいずれも前記吹出口での吹出方向をガイドするためのガイド構造が設けられる。
【考案の効果】
【００１４】
本考案のウェアラブル扇風装置の有益な効果は次のとおりである。
従来技術と比べて、本考案のウェアラブル扇風装置は、導風板は風車の周りを回って設けられ、風車のエッジとのギャップによって風路が形成され、動力機構が風車を連れて回転させると、空気がエンドカバーの表面の吸込口から風車の遠心力によって駆動された後、気流を形成して風車のエッジから吹き出され、吹き出された気流が導風板と風車のエッジとの間の風路に集まって風車の回転方向に従って運動する。導風板の風車のエッジとのギャップが風車の回転方向に従って漸増するため、気流の流動方向において、風路の幅が漸次増加し、風路内の空気量が増加し、且つ風車が風路内の気流を加速し増圧させ、吹出口から空気を排出する。吹出口から排出された気流は流量が大きく流速が速いため、風車のサイズとモーターの仕事率が増えずに、吹出量が増加し風速が増える効果を得る。エンドカバーはベースに対して可動に設けられ、ベースから取り外しやすいため、風車の清掃とメインテナンスに役立つ。
【図面の簡単な説明】
【００１５】
次に、本考案の実施例に係る技術的解決手段を一層明瞭に説明するために、従来技術又は実施例の説明に用いる図面を簡単に説明する。なお、次の説明に係る図面は本考案のいくつかの実施例を示すものに過ぎず、当業者が新規性のある作業をすることなく、これらの図面から他の図面を得ることができる。
【図１】図１は本考案の実施例に係るウェアラブル扇風装置の構造模式図である。
【図２】図２は本考案の実施例に係るウェアラブル扇風装置の分解構造模式図である。
【図３】図３は本考案の実施例に係るウェアラブル扇風装置の内部構造模式図である。
【図４】図４はエンドカバーの構造模式図である。
【考案を実施するための形態】
【００１６】
次に、本考案が解決しようとする課題、技術的解決手段及び有益な効果が一層明瞭になるよう、実施例及び図面を参照して、本考案の一層詳細な説明を行う。なお、ここで説明するいくつかの実施例は本考案の限定にならず、その説明のためのものに過ぎない。
【００１７】
図１から図３を参照して、本考案のウェアラブル扇風装置を説明する。ウェアラブル扇風装置はベース１と、風車２と、動力機構と、導風板３と、エンドカバー４とを含む。ベース１に対して、風車２はベース１の片側に設けられ、且つ回転軸線はベース１の表面に垂直であり、動力機構はベース１の他側に設けられ、且つ風車２の回転中心（中心軸）に接続され、動力機構は風車２を連れて軸の周りを回って回転させる。
【００１８】
導風板３はベース１の風車２を備える側に設けられ、且つ風車２の周りを回って略環状の構造に構成され、導風板３の内側の表面と風車２のエッジとの間にギャップが設けられ、当該ギャップは気流が風車２の内部から流出した後の風路であり、導風板３の首端と尾端との間に間隔が設けられ、風路の吹出口とされる。
【００１９】
導風板３の一方の側縁は液状シールによってベース１に封止して接続され、他方の側縁には液状シールによってエンドカバー４が封止して接続され、導風板３の内部の気密性が確保され、風車２はエンドカバー４、ベース１及び導風板３が包囲して形成された実質的な閉鎖空間に閉じ込められるため、風車２が吹き出す気流にはある程度の圧力が確保され、風路の吹出口から一定の風速の気流が吹き出される。エンドカバー４はベース１に対して可動に接続され、即ちエンドカバー４をベース１から取り外すことができ、風車２の清掃又はメインテナンスをしたい時には、エンドカバー４をベース１から取り外せばよい。
【００２０】
風車２は遠心式であり、風車２が回転すると、風車２の内部の空気は速いスピードで振り出されるため、風車２の内部に空気を供給する必要がある。エンドカバー４の風車２に対応する場所に吸込口４２が設けられ、吸込口４２を風車２と同心に設けることで、空気がスムーズに風車２の内部に入ることができる。
【００２１】
風車２の回転方向において、導風板３の風車２のエッジとのギャップが漸増し、即ち風路の横断面が漸次大きくなるために、風路に入る空気がますます多くなり、風車２の遠心力が駆動することで、気流が風路内に圧力を受け、流速が増加するため、吹出口から排出される空気は流量が大きく、流速が速く、強風になる。
【００２２】
従来技術と比べて、本考案のウェアラブル扇風装置は、導風板３は風車２の周りを回って設けられ、風車２のエッジとのギャップによって風路が形成され、動力機構が風車２を連れて回転させると、空気がエンドカバー４の表面の吸込口４２から風車２の遠心力によって駆動された後、気流を形成して風車２のエッジから吹き出され、吹き出された気流が導風板３と風車２のエッジとの間の風路内に集まって風車２の回転方に従って運動する。導風板３の風車２のエッジとのギャップが風車２の回転方向に従って漸増するため、気流の流動方向において、風路の幅が漸次増加し、風路内の空気量が増加し、且つ風車２が風路内の気流を加速し増圧させ、吹出口から空気を排出する。吹出口から排出された気流は流量が大きく流速が速いため、風車２のサイズとモーターの仕事率が増えずに、吹出量が増加し風速が増える効果を得る。
【００２３】
本考案のウェアラブル扇風装置は、吸込口４２は衣類の外側を向き、吹出口は人体を向くように衣類に設置されてもよく、吹出口は頭部に向き合うように帽子に設けられてもよい。又は、ゴムバンド等の補助装置によって肘、手腕等に固定されてもよく、ロープの両端に付け、首に掛けてもよく、いずれも携帯しやすく利用できる。
【００２４】
ベース１には、風車２と動力機構を接続させ、動力機構の動力を風車２に伝達するために接続軸１２が貫設される。
【００２５】
風車２のベース１に近い端面には、風車２の内部を封鎖して、風車２の内部に入る空気の全てが風車２の遠心力によって振り出されるように端板２１が設けられる。
【００２６】
本考案の実施例の一実施形態では、図２及び図４が参照されるとおり、エンドカバー４は円形のカバープレートとして設けられ、エンドカバー４のエッジの周方向にサイドシールプレート４１が設けられ、サイドシールプレート４１はエンドカバー４に垂直に設けられ、サイドシールプレート４１とエンドカバー４によって帽子状の構造が形成され、風車２及び導風板３はその内部に収容される。サイドシールプレート４１に吹き口４１１が設けられ、風路内の気流は吹出口から吹き出された後、導風板３とサイドシールプレート４１との間にギャップに入り、強風となって吹き口４１１から吹き出される。エンドカバー４を回転させてエンドカバー４の位置を調整することで、吹き口４１１の向きを調節することができ、吹き口４１１の向きを調整した後、エンドカバー４をベース１に取り付ける。
【００２７】
本考案のウェアラブル扇風装置の一実施形態では、図４が参照されるとおり、サイドシールプレート４１の内面の周方向に複数の導風溝４１４が設けられ、エンドカバー４がベース１に接続されると、サイドシールプレート４１の内面と導風板３との間にギャップを有し、サイドシールプレート４１の吹き口４１１が風路の吹出口に向き合うと、気流が風路の吹出口から吹き出された後、ほとんどが吹き口から吹き出され、少量の一部がサイドシールプレート４１と導風板３との間のギャップに入って、ギャップ内に流動する。導風溝４１４を設けると、ギャップ内に流動する空気が導風溝４１４に沿って流動し、最後に吹き口４１１から吹き出され、吹き口４１１の吹出風量が増える。
【００２８】
エンドカバー４を回転させることで、吹き口４１１の向きを調節することができ、吹き口４１１が風路の吹出口とずれると、吹出口から吹き出された気流が、サイドシールプレート４１と導風板３との間のギャップに入って、導風溝４１４に沿って流動し、最後に吹き口４１１から吹き出され、吹出方向が調整されるとともに、風量は減らない。
【００２９】
本考案の実施例の一実施形態では、図２及び図４が参照されるとおり、サイドシールプレート４１はベース１に係止される。具体的には、ベース１の周方向に間隔を開けて複数の引止部１１が設けられ、サイドシールプレート４１の内壁の周方向には引止部１１と一対一で対応する係止溝４１３が設けられる。引止部１１の一端はベース１に接続され、他端は外側に突出し、引止部１１は一定の弾性を有する。エンドカバー４をベース１に接続させる時は、引止部１１の他端が外側に突出するため、サイドシールプレート４１が引止部１１を内側に押し付け、引止部１１がサイドシールプレート４１の内壁に密着され、引止部１１の外側に突出する部分がサイドシールプレート４１の係止溝４１３に向き合うと、引止部１１が係止溝４１３に嵌まり、サイドシールプレート４１がベース１に接続される。
【００３０】
本実施例では、係止溝４１３の左側及び右側は円弧面又は斜面として設けられ、エンドカバー４をベース１から分離する場合は、エンドカバー４の中心軸の周りを回ってエンドカバー４を回転させて、引止部１１が係止溝４１３の両側の円弧面又は斜面に沿って摺動して係止溝４１３から離脱すると、ベース１とエンドカバー４が分離する。
【００３１】
本考案の実施例の一実施形態では、図２が参照されるとおり、サイドシールプレート４１の吹き口４１１には、指が吹き口４１１から風路に入って、高速回転中の風車２と接触して傷つけられること、及び、異物が吹き口４１１から風路に入って風車２を損壊することを防ぐために、第１保護構造が設けられる。
【００３２】
本考案の実施例の一実施形態では、図１及び図２が参照されるとおり、サイドシールプレート４１の吹き口４１１には風向を調節するための風向調節構造が設けられる。具体的には、風向調節構造は平行に設けられる複数の羽板４１２を含み、ルーバーのような構造に形成される。各羽板４１２の両端にはいずれも円柱形のインサートが設けられ、吹き口４１１の両側に羽板４１２に対応する場所にはスロットが設けられ、羽板４１２のインサートをスロットに挿入した後、羽板４１２はインサートの周りを回って回転することができ、羽板４１２の角度を調整することで、吹き口４１１での吹出方向を調整する。
【００３３】
本考案の実施例の一実施形態では、図１及び図２が参照されるとおり、エンドカバー４の吸込口４２には、指が吸込口４２から風車２の内部に入って傷つけられること、及び、異物が吸込口４２から風車２に入って風車２を損傷することを防ぐために、第２保護構造４３が設けられる。本考案のウェアラブル扇風装置の一実施形態では、図３が参照されるとおり、導風板３の首端及び尾端にいずれもガイド構造が設けられ、即ち吹出口の両側にガイド構造が設けられ、風路内の空気が風路に沿って流動して強い気流を形成し、気流が吹出口に衝撃すると乱流が生じやすいため、吹出効果が悪くなるが、ガイド構造は円弧状の構造であり、気流をガイドする効果があり、吹出方向をガイドすることで、吹出口から吹き出される気流の安定性が確保される。
【００３４】
本考案の実施例の一実施形態では、導風板３の幅は風車２の厚さより大きく、ベース１とエンドカバー４が風車２の回転に支障をきたさない。
【００３５】
上述した内容が本考案の限定にならず、その好ましい実施例に過ぎない。本考案の趣旨を超えることなくなされた変更や、同等な差し替え、改良等は、いずれも本考案の保護範囲に含まれる。
【符号の説明】
【００３６】
１...ベース、１１...引止部、１２...接続軸、２...風車、２１...端板、３...導風板、４...エンドカバー、４１...サイドシールプレート、４１１...吹き口、４１２...羽板、４１３...係止溝、４１４...導風溝、４２...吸込口、４３...第２保護構造。
【図１】
0003231185.tif 000003
【図２】
0003231185.tif 000004
【図３】
0003231185.tif 000005
【図４】
0003231185.tif 000006